(57)【要約】【課題】大型タンクの秤量を検定作業と共に簡便に行うことができる検定機能付き秤量装置を提供する。【解決手段】被秤量物を支持して秤量台１４を具備して該秤量台１４が受ける荷重を前記被秤量物の重量として秤量する秤量機構部１０と、前記秤量機構部１０とは独立して設けられた錘載置台２０上に載置される検定用錘３０と、前記秤量機構部１０の少なくとも前記被秤量物を支持する秤量台１４を昇降させる秤量台昇降手段と、前記錘載置台２０上の前記検定用錘３０を支持して前記検定用錘３０による荷重を前記秤量台１４に伝達して当該検定用錘３０の重量を前記秤量機構部１０で秤量させる錘秤量手段とを具備し、前記秤量機構部１０は、前記被秤量物の下方に配置可能であり且つ前記秤量台昇降手段による前記秤量台１４の上方への移動により前記被秤量物を支持し且つ秤量する。【選択図】図１
2015087190.tif 000002
【特許請求の範囲】
【請求項１】
被秤量物を支持する秤量台を具備して該秤量台が受ける荷重を前記被秤量物の重量として秤量する秤量機構部と、
前記秤量機構部とは独立して設けられた錘載置台上に載置される検定用錘と、
前記秤量機構部の少なくとも前記被秤量物を支持する秤量台を昇降させる秤量台昇降手段と、
前記錘載置台上の前記検定用錘を支持して前記検定用錘による荷重を前記秤量台に伝達して当該検定用錘の重量を前記秤量機構部で秤量させる錘秤量手段とを具備し、
前記秤量機構部は、前記被秤量物の下方に配置可能であり且つ前記秤量台昇降手段による前記秤量台の上方への移動により前記被秤量物を支持し且つ秤量することを特徴とする検定機構付き秤量装置。
【請求項２】
前記検定用錘は、前記錘載置台に設けられた貫通部上に設けられ、前記錘秤量手段は、  前記貫通部を貫通する支持部により前記検定用錘を支持することを特徴とする請求項１記載の検定機構付き秤量装置。
【請求項３】
前記秤量台昇降手段は、前記支持部を昇降する昇降手段を兼ねていることを特徴とする請求項２に記載の検定機構付き秤量装置。
【請求項４】
前記錘秤量手段は、前記秤量台昇降手段とは別に、前記支持部を昇降する昇降手段を具備することを特徴とする請求項２に記載の検定機構付き秤量装置。
【請求項５】
前記秤量機構部及び前記錘載置台を支持する支持部材を具備し、前記秤量台は前記秤量機構昇降手段上に設けられ、前記秤量台上に前記錘秤量手段が設けられていることを特徴とする請求項１〜４の何れか一項に記載の検定機構付き秤量装置。
【請求項６】
前記検定用錘は、質量の異なる他の検定用錘と交換可能であることを特徴とする請求項１〜５の何れか一項に記載の検定機構付き秤量装置。
【請求項７】
前記検定用錘は、質量の異なる複数種が搭載されていることを特徴とする請求項１〜６の何れか一項に記載の検定機構付き秤量装置。
【請求項８】
秤量台に伝達される荷重により秤量する秤量機構部と、
前記秤量台を少なくとも昇降させる秤量機構昇降手段と、
前記秤量機構部とは独立して設けられた錘載置台上に載置される検定用錘と、
前記錘載置台上の前記検定用錘を支持して前記検定用錘による荷重を前記秤量台に伝達して当該検定用錘の重量を前記秤量機構部で秤量させる錘秤量手段とを具備する検定機構付き秤量装置を用い、
タンクの下方に前記秤量機構部を配置して前記秤量機構昇降手段による上方への移動により前記秤量台により前記被秤量物を支持して前記タンクの風袋を秤量する工程と、
前記錘秤量手段により前記検定用錘を支持して当該検定用錘を秤量し、前記秤量機構部の校正を行う工程と、
前記タンクに内容物を導入して所定量の内容物を秤量する工程と
を具備することを特徴とする検定秤量方法。
【発明の詳細な説明】
【技術分野】
【０００１】
本発明は、内部に検定用錘を具備する検定機能付き秤量装置及び検定秤量方法に関する。
【背景技術】
【０００２】
従来、医薬品原料や医薬品、食料品、飲料などの被秤量物を所定量だけタンクに導入する場合、タンクを台秤に載せ、被秤量物を秤量しながら導入する方法が採られている。また、特に医薬品原料や医薬品の場合、厳密に秤量する必要があるため、検定用の錘を使用して検定後、秤量する必要がある。
【０００３】
このような秤量を行う場合、大型の移動タンクを傾斜などを利用して台秤に載せる必要があり、多大な労力が必要となるという問題があった。また、検定用錘をアクチュエータなどで吊しておき、検定時に検定用錘を昇降させる仕組みが必要であり、スペースの確保や作業が大変であるという問題があった。
【０００４】
一方、検定用錘を内蔵した台秤として、内蔵分銅昇降装置が提案されているが、タンクを台秤に載置するものであり、また、大型タンクの秤量に使用できるものではなかった。
【先行技術文献】
【特許文献】
【０００５】
【特許文献１】特開平１−１５２３１８号公報
【発明の概要】
【発明が解決しようとする課題】
【０００６】
本発明は、上記事情に鑑みてなされたものであり、大型タンクの秤量を検定作業と共に簡便に行うことができる検定機能付き秤量装置及び検定秤量方法を提供することを目的とする。
【課題を解決するための手段】
【０００７】
上記課題を解決する本発明の態様は、被秤量物を支持する秤量台を具備して該秤量台が受ける荷重を前記被秤量物の重量として秤量する秤量機構部と、前記秤量機構部とは独立して設けられた錘載置台上に載置される検定用錘と、前記秤量機構部の少なくとも前記被秤量物を支持する秤量台を昇降させる秤量台昇降手段と、前記錘載置台上の前記検定用錘を支持して前記検定用錘による荷重を前記秤量台に伝達して当該検定用錘の重量を前記秤量機構部で秤量させる錘秤量手段とを具備し、前記秤量機構部は、前記被秤量物の下方に配置可能であり且つ前記秤量台昇降手段による前記秤量台の上方への移動により前記被秤量物を支持し且つ秤量することを特徴とする検定機構付き秤量装置にある。
【０００８】
ここで、前記検定用錘は、前記錘載置台に設けられた貫通部上に設けられ、前記錘秤量手段は、前記貫通部を貫通する支持部により前記検定用錘を支持するのが好ましい。
【０００９】
また、前記秤量台昇降手段は、前記支持部を昇降する昇降手段を兼ねているのが好ましい。
【００１０】
また、前記錘秤量手段は、前記秤量台昇降手段とは別に、前記支持部を昇降する昇降手段を具備するのが好ましい。
【００１１】
また、前記秤量機構部及び前記錘載置台を支持する支持部材を具備し、前記秤量台は前記秤量機構昇降手段上に設けられ、前記秤量台上に前記錘秤量手段が設けられているのが好ましい。
【００１２】
また、前記検定用錘は、質量の異なる他の検定用錘と交換可能であるのが好ましい。
【００１３】
また、前記検定用錘は、質量の異なる複数種が搭載されているのが好ましい。
【００１４】
本発明の他の態様は、秤量台に伝達される荷重により秤量する秤量機構部と、前記秤量台を少なくとも昇降させる秤量機構昇降手段と、前記秤量機構部とは独立して設けられた錘載置台上に載置される検定用錘と、前記錘載置台上の前記検定用錘を支持して前記検定用錘による荷重を前記秤量台に伝達して当該検定用錘の重量を前記秤量機構部で秤量させる錘秤量手段とを具備する検定機構付き秤量装置を用い、タンクの下方に前記秤量機構部を配置して前記秤量機構昇降手段による上方への移動により前記秤量台により前記被秤量物を支持して前記タンクの風袋を秤量する工程と、前記錘秤量手段により前記検定用錘を支持して当該検定用錘を秤量し、前記秤量機構部の校正を行う工程と、前記タンクに内容物を導入して所定量の内容物を秤量する工程とを具備することを特徴とする検定秤量方法にある。
【発明の効果】
【００１５】
本発明によれば、大型タンクの下方に秤量装置を配置すると共に、所望の重量の検定用錘を錘載置台上に設置するだけで、大型タンクの風袋の測定及び検定を容易に行うことができ、内容物の正確な秤量ができるという効果を奏する。
【図面の簡単な説明】
【００１６】
【図１】本発明の一実施形態の検定機構付き秤量装置の分解斜視図である。
【図２】本発明の一実施形態の検定機構付き秤量装置の使用状態を示す斜視図である。
【図３】本発明の一実施形態の検定機構付き秤量装置の使用状態を示す正面図である。
【図４】本発明の一実施形態の検定機構付き秤量装置の使用状態を示す側面図である。
【図５】本発明の一実施形態の検定機構付き秤量装置の使用状態を示す断面図である。
【図６】本発明の一実施形態の検定機構付き秤量装置の使用状態を示す断面図である。
【図７】本発明の一実施形態の検定機構付き秤量装置の使用状態を示す断面図である。
【発明を実施するための形態】
【００１７】
以下、本発明を実施するための形態について説明する。なお、実施形態の説明は例示であり、本発明は以下の説明に限定されない。
【００１８】
〈実施形態１〉
図１〜図４を用いて、本実施形態に係る検定機構付き秤量装置（以降、秤量装置ともいう）を説明する。図１は、一実施形態の検定機構付き秤量装置の分解斜視図、図２〜図４は、その使用状態を示す斜視図、正面図、および側面図である。
【００１９】
図示するように、検定機構付き秤量装置１は、被秤量物の秤量を行う秤量機構部１０と、錘載置台２０と、錘載置台２０上に載置される検定用錘３０とを具備する。
【００２０】
秤量機構部１０は、全体を支持する支持部材となる基台１１と、基台１１上に設けられたロードセル１２と、ロードセル１２上に配置された秤量台昇降手段となる複数のアクチュエータ１３が配置され、アクチュエータ１３上に秤量台１４が設けられている。
【００２１】
アクチュエータ１３は、秤量台１４を上下方向に位置決め自在に昇降できるものであれば、特に限定されず、例えば、油圧シリンダー、空圧シリンダーなどの各種シリンダー、各種駆動装置を用いた昇降機構などを用いることができる。
【００２２】
秤量台１４は、例えば、被秤量物の一部となる移動式タンク１００を支持可能なものであり、水平状態を保持して上下方向に移動できるように支持されているのが好ましい。
【００２３】
錘載置台２０は、秤量台１４とは緩衝しないように基台１１上に設けられ、検定用錘３０を載置する場所に貫通部２１が２箇所に設けられている。
【００２４】
秤量台１４上には、錘秤量手段の一部となる支持部４１が２箇所に設けられている。支持部４１は、錘載置台２０の貫通部２１を貫通可能な位置に設けられ、貫通可能な形状を具備し、貫通部２１を貫通した状態で検定用錘３０を支持可能なものである。
【００２５】
このような検定機構付き秤量装置１で秤量可能な被秤量物の一例としての移動式タンク１００は、タンク本体１１０と、タンク本体１１０を支持する架台１２０とを具備する。架台１２０は、タンク本体１１０に一端が設けられた４本の足フレーム１２１と、２本の足フレーム１２１を連結する２本の第１フレーム１２２と、第１フレームを連結する２本の第２フレーム１２３とを具備する。また、４本の足フレーム１２１にはプーリー１２４が設けられ、移動可能となっている。
【００２６】
本実施形態では、アクチュエータ１３による秤量台１４の上昇により、２本の第２フレーム１２３が秤量台１４と当接して移動式タンク１００全体が秤量台１４で支持されることにより、移動式タンク１００の重量が秤量されることになる。
【００２７】
ここで、詳細には、本実施形態では、秤量台昇降手段であるアクチュエータ１３は、錘秤量手段を兼ねている。すなわち、アクチュエータ１３は、秤量台１４を第１の状態まで上昇させ、秤量台１４が第２フレーム１２３と当接して移動式タンク１００全体を支持するが、秤量台１４に設けられた支持部４１が検定用錘３０には当接しない第１の状態とする。ここでは秤量台昇降手段として機能する。次いで、アクチュエータ１３は、秤量台１４を第１の状態からさらに第２の状態まで上昇させ、秤量台１４が移動式タンク１００全体を支持すると同時に支持部４１により検定用錘３０を支持する状態とし、検定用錘３０を秤量する状態とする。ここでは、アクチュエータ１３は、錘秤量手段として機能する。
【００２８】
このように、アクチュエータ１３を秤量昇降手段と同時に錘秤量手段として機能させることにより、別のアクチュエータを設ける必要がないので、部品点数の低下、小型化に寄与することができる。
【００２９】
勿論、支持部４１をアクチュエータ１３とは別のアクチュエータにより上下移動可能にしてもよく、この場合には、別のアクチュエータが、支持部４１と共に錘秤量手段を構成することになる。
【００３０】
また、本実施形態では、ロードセル１２を最下部に配置し、その上にアクチュエータ１３を配置したので、秤量が安定して行えるという効果を奏する。
【００３１】
以上説明した、検定機構付き秤量装置１及び移動式タンク１００を用いた検定秤量方法を図５〜図８を参照しながら説明する。
【００３２】
図５は、検定機構付き秤量装置１上に空の移動式タンク１００を移動し、移動式タンク１００の第２フレーム１２３の下方に秤量台１４を配置した状態を示す。この状態では、秤量台１４上にかかる荷重はない。
【００３３】
図６は、移動式タンク１００の風袋としての重量を秤量する工程を示す。この工程では、秤量台昇降手段であるアクチュエータ１３により秤量台１４を第１の状態まで上昇させ、秤量台１４で移動式タンク１００を持ち上げて支持し、ロードセル１２に荷重を伝達する。また、この第１の状態では、秤量台１４は、その上の支持部４１が錘載置台２０の貫通部２１上の載置した検定用錘３０には当接しない状態までの上昇となる。これにより、移動式タンク１００の風袋としての重量が秤量され、この状態を零点とし、以下、風袋を除いた重量が秤量されることになる。
【００３４】
図７は、秤量機構部１０の検定を行い、必要に応じて校正を行う工程を示す。この工程では、秤量台昇降手段であるアクチュエータ１３により秤量台１４をさらに上昇させて第２の状態とする。この状態では、秤量台１４により移動式タンク１００が支持されると同時に、支持部４１により検定用錘３０が支持される状態となる。これにより、検定用錘３０による荷重がロードセル１２に伝達され、検定用錘３０が秤量される。
【００３５】
ここで、検定用錘３０としては、この後、移動式タンク１００内に秤量される内容物の重量に合わせた重量のものが用いられる。すなわち、内容物を５０ｋｇ秤量する場合には、５０ｋｇの検定用錘３０が用いられ、１００ｋｇの内容物を秤量する場合には、１００ｋｇの検定用錘３０が用いられる。図面では、一つの検定用錘３０を示しているが、重量に応じて、２つ用いてもよく、この場合、２つの合計重量が秤量する内容物の重量となればよい。
【００３６】
そして、検定用錘３０を秤量した結果、ロードセル１２での秤量値と検定用錘３０の重量とが異なった場合には、ロードセル１２を校正する。
【００３７】
このように、本発明では、風袋を載せた状態で検定ができるので、より正確な秤量を行うことができる。
【００３８】
この後、アクチュエータ１３により秤量台１４を第１の状態まで降下させ、タンク本体１１０内に内容物を導入し、所定重量を秤量する。
【００３９】
以上説明したように、本実施形態の秤量装置１によれば、大型タンクの下方に秤量装置１を配置すると共に、所望の重量の検定用錘３０を錘載置台２０上に設置するだけで、大型タンクの風袋の測定及び検定を容易に行うことができ、内容物の正確な秤量ができるという効果を奏する。
【００４０】
〈他の実施形態〉
以上、本発明の一実施形態について説明したが、本発明の基本的な構成は上述したものに限定されるものではない。
【００４１】
例えば、秤量台昇降手段としてアクチュエータ１３を例示したが、秤量台１４を昇降できるものであれば、如何なる機構を用いてもよい。
【００４２】
ここで、アクチュエータ１３を第１の状態及び第２の状態への昇降に加えて、第３の状態への昇降を可能とし、且つ、秤量台１４の支持部４１として、第２の状態では検定用錘３０と当接しないが第３の状態では検定用錘３０を支持する低い支持部を設け、第２の状態と第３の状態とで異なる重さの検定を行うことができるようにしてもよい。
【００４３】
また、上述した実施形態では、ロードセル１２上に秤量台昇降手段を設けたが、これに限定されず、例えば、ロードセルの下方に秤量台昇降手段を設けてもよい。
【００４４】
また、上述した実施形態では、秤量装置１上に移動式タンク１００が移動する構成としたが、秤量装置１自体を移動可能として、タンクの下方に移動可能としてもよい。
【００４５】
また、錘載置台２０は、基台１１上に位置決めは位置したが、基台１１を排除して、錘載置台２０を着脱自在に別途設けてもよい。勿論、この場合、秤量台１４上の支持部４１との関係で位置決めは位置できるようにする必要がある。
【００４６】
何れの構成においても、上述した実施形態と同様な作用効果を奏することは明らかである。
【００４７】
さらに、本発明の検定機構対秤量装置は、タンク内へ内容物の秤量以外の種々の用途に利用可能であることは言うまでもない。
【符号の説明】
【００４８】
１            検定機構付き秤量装置
１０          秤量機構部
１１          基台
１２          ロードセル
１３          アクチュエータ
１４          秤量台
２０          錘載置台
２１          貫通部
３０          検定用錘
４１          支持部
１００        移動式タンク
１１０        タンク本体
１２０        架台
１２１        足フレーム
１２２        第１フレーム
１２３        第２フレーム
１２４        プーリー
【図１】
2015087190.tif 000003
【図２】
2015087190.tif 000004
【図３】
2015087190.tif 000005
【図４】
2015087190.tif 000006
【図５】
2015087190.tif 000007
【図６】
2015087190.tif 000008
【図７】
2015087190.tif 000009
【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
被秤量物を支持する秤量台を具備して該秤量台が受ける荷重を前記被秤量物の重量として秤量する秤量機構部と、
前記秤量機構部とは独立して設けられた錘載置台上に載置される検定用錘と、
前記秤量機構部の少なくとも前記被秤量物を支持する秤量台を昇降させる秤量台昇降手段と、
前記秤量台が前記被秤量物の風袋を支持した状態で前記錘載置台上の前記検定用錘を支持して前記検定用錘による荷重を前記秤量台に伝達して当該検定用錘の重量を前記秤量機構部で秤量させる錘秤量手段とを具備し、
前記秤量機構部は、前記被秤量物の下方に配置可能であり且つ前記秤量台昇降手段による前記秤量台の上方への移動により前記被秤量物を支持し且つ秤量することを特徴とする検定機構付き秤量装置。
【請求項２】
被秤量物を支持する秤量台を具備して該秤量台が受ける荷重を前記被秤量物の重量として秤量する秤量機構部と、
前記秤量機構部とは独立して設けられた錘載置台上に載置される検定用錘と、
前記秤量機構部の少なくとも前記被秤量物を支持する秤量台を昇降させる秤量台昇降手段と、
前記錘載置台上の前記検定用錘を支持して前記検定用錘による荷重を前記秤量台に伝達して当該検定用錘の重量を前記秤量機構部で秤量させる錘秤量手段とを具備し、
前記検定用錘は、前記錘載置台に設けられた貫通部上に設けられ、前記錘秤量手段は、前記貫通部を貫通する支持部により前記検定用錘を支持するものであり、
前記秤量機構部は、前記被秤量物の下方に配置可能であり且つ前記秤量台昇降手段による前記秤量台の上方への移動により前記被秤量物を支持し且つ秤量することを特徴とする検定機構付き秤量装置。
【請求項３】
前記秤量台昇降手段は、前記支持部を昇降する昇降手段を兼ねていることを特徴とする請求項２に記載の検定機構付き秤量装置。
【請求項４】
前記錘秤量手段は、前記秤量台昇降手段とは別に、前記支持部を昇降する昇降手段を具備することを特徴とする請求項２に記載の検定機構付き秤量装置。
【請求項５】
前記秤量機構部及び前記錘載置台を支持する支持部材を具備し、前記秤量台は前記秤量台昇降手段上に設けられ、前記秤量台上に前記錘秤量手段が設けられていることを特徴とする請求項１〜４の何れか一項に記載の検定機構付き秤量装置。
【請求項６】
前記検定用錘は、質量の異なる他の検定用錘と交換可能であることを特徴とする請求項１〜５の何れか一項に記載の検定機構付き秤量装置。
【請求項７】
前記検定用錘は、質量の異なる複数種が搭載されていることを特徴とする請求項１〜６の何れか一項に記載の検定機構付き秤量装置。
【請求項８】
被秤量物から秤量台に伝達される荷重により秤量する秤量機構部と、
前記秤量台を少なくとも昇降させる秤量機構昇降手段と、
前記秤量機構部とは独立して設けられた錘載置台上に載置される検定用錘と、
前記錘載置台上の前記検定用錘を支持して前記検定用錘による荷重を前記秤量台に伝達して当該検定用錘の重量を前記秤量機構部で秤量させる錘秤量手段とを具備する検定機構付き秤量装置を用い、
タンクの下方に前記秤量機構部を配置して前記秤量機構昇降手段による上方への移動により前記秤量台により前記被秤量物を支持して前記タンクの風袋を秤量する工程と、
前記秤量台が前記タンクの風袋を支持した状態で前記錘秤量手段により前記検定用錘を支持して当該検定用錘を秤量し、前記秤量機構部の校正を行う工程と、
前記タンクに内容物を導入して所定量の内容物を秤量する工程と
を具備することを特徴とする検定秤量方法。
【手続補正２】
【補正対象書類名】明細書
【補正対象項目名】０００７
【補正方法】変更
【補正の内容】
【０００７】
上記課題を解決する本発明の態様は、被秤量物を支持して秤量台を具備して該秤量台が受ける荷重を前記被秤量物の重量として秤量する秤量機構部と、前記秤量機構部とは独立して設けられた錘載置台上に載置される検定用錘と、前記秤量機構部の少なくとも前記被秤量物を支持する秤量台を昇降させる秤量台昇降手段と、前記秤量台が前記被秤量物の風袋を支持した状態で前記錘載置台上の前記検定用錘を支持して前記検定用錘による荷重を前記秤量台に伝達して当該検定用錘の重量を前記秤量機構部で秤量させる錘秤量手段とを具備し、前記秤量機構部は、前記被秤量物の下方に配置可能であり且つ前記秤量台昇降手段による前記秤量台の上方への移動により前記被秤量物を支持し且つ秤量することを特徴とする検定機構付き秤量装置にある。
【手続補正３】
【補正対象書類名】明細書
【補正対象項目名】０００８
【補正方法】変更
【補正の内容】
【０００８】
また、本発明の他の態様は、被秤量物を支持する秤量台を具備して該秤量台が受ける荷重を前記被秤量物の重量として秤量する秤量機構部と、前記秤量機構部とは独立して設けられた錘載置台上に載置される検定用錘と、前記秤量機構部の少なくとも前記被秤量物を支持する秤量台を昇降させる秤量台昇降手段と、前記錘載置台上の前記検定用錘を支持して前記検定用錘による荷重を前記秤量台に伝達して当該検定用錘の重量を前記秤量機構部で秤量させる錘秤量手段とを具備し、前記検定用錘は、前記錘載置台に設けられた貫通部上に設けられ、前記錘秤量手段は、前記貫通部を貫通する支持部により前記検定用錘を支持するものであり、前記秤量機構部は、前記被秤量物の下方に配置可能であり且つ前記秤量台昇降手段による前記秤量台の上方への移動により前記被秤量物を支持し且つ秤量することを特徴とする検定機構付き秤量装置にある。
【手続補正４】
【補正対象書類名】明細書
【補正対象項目名】００１１
【補正方法】変更
【補正の内容】
【００１１】
また、前記秤量機構部及び前記錘載置台を支持する支持部材を具備し、前記秤量台は前記秤量台昇降手段上に設けられ、前記秤量台上に前記錘秤量手段が設けられているのが好ましい。
【手続補正５】
【補正対象書類名】明細書
【補正対象項目名】００１４
【補正方法】変更
【補正の内容】
【００１４】
本発明の他の態様は、被秤量物から秤量台に伝達される荷重により秤量する秤量機構部と、前記秤量台を少なくとも昇降させる秤量機構昇降手段と、前記秤量機構部とは独立して設けられた錘載置台上に載置される検定用錘と、前記錘載置台上の前記検定用錘を支持して前記検定用錘による荷重を前記秤量台に伝達して当該検定用錘の重量を前記秤量機構部で秤量させる錘秤量手段とを具備する検定機構付き秤量装置を用い、タンクの下方に前記秤量機構部を配置して前記秤量機構昇降手段による上方への移動により前記秤量台により前記被秤量物を支持して前記タンクの風袋を秤量する工程と、前記秤量台が前記タンクの風袋を支持した状態で前記錘秤量手段により前記検定用錘を支持して当該検定用錘を秤量し、前記秤量機構部の校正を行う工程と、前記タンクに内容物を導入して所定量の内容物を秤量する工程とを具備することを特徴とする検定秤量方法にある。